(57)【特許請求の範囲】
【請求項１】
開閉操作ハンドルとしてロータリー式の操作ハンドルを備えた回路しゃ断器と、該回路しゃ断器の外部付属装置としてしゃ断器本体に早入り補助スイッチ付き不足電圧引外し装置を組合せた開閉装置であり、前記不足電圧引外し装置が電磁石式引外し機構，およびその電磁石の通電回路に接点を介挿した早入り補助スイッチを内蔵した構成になり、該補助スイッチの接点ホルダを回路しゃ断器の操作ハンドルに連係させた上で、回路しゃ断器のＯＮ操作時に操作ハンドルに連動して主回路接点が閉じる前に前記早入り補助スイッチを投入するようにしたものにおいて、
前記早入り補助スイッチの接点ホルダを、その下端を揺動支点としてホルダ上端に結合してケース側方に突き出した動作レバーをしゃ断器本体の操作ハンドルに連係させるとともに、前記早入り補助スイッチの復帰ばねとして接点ホルダの上端とケースとの間に反転ばねを介装し、該反転ばねを介して操作ハンドルのＯＦＦ位置では接点ホルダをＯＦＦ側に付勢し、操作ハンドルに連動して接点ホルダをＯＮ位置に駆動した際に反転ばねが反転動作して接点ホルダをＯＮ側にばね付勢するようにしたことを特徴とする開閉装置。
【請求項２】
開閉操作ハンドルとしてロータリー式の操作ハンドルを備えた回路しゃ断器と、該回路しゃ断器の外部付属装置としてしゃ断器本体に早入り補助スイッチ付き不足電圧引外し装置を組合せた開閉装置であり、回路しゃ断器にその操作ハンドルに結合したリセットカム, および該リセットカムを介して操作レバーに連動する駆動レバーを装備し、不足電圧引外し装置をしゃ断器本体に付属させた状態で、不足電圧引外し装置に内蔵した早入り補助スイッチの接点ホルダに結合してしゃ断器本体内に突き出した動作レバーを前記駆動レバーに連係させ、回路しゃ断器のＯＮ操作時に操作ハンドルに連動して主回路接点が閉じる前に前記早入り補助スイッチを投入するようにしたものにおいて、
しゃ断器本体に装備した前記駆動レバーの先端と不足電圧引外し装置から引出した前記動作レバーとの間を、そのいずれか一方の先端に形成した二股状継手部を介してＯＮ，ＯＦＦの双方向に連動連結したことを特徴とする開閉装置。
【発明の詳細な説明】
【０００１】
【発明の属する技術分野】
本発明は、オートブレーカなどを対象とした回路しゃ断器に、その外部付属装置として早入り補助スイッチ付き不足電圧引外し装置を組合せて使用する開閉装置に関する。
【０００２】
【従来の技術】
頭記の配線用しゃ断器には各種の付属装置がオプション品として用意されており、その一つに早入り補助スイッチ付き不足電圧引外し装置がある。この不足電圧引外し装置はしゃ断器本体に装着して使用し、通電中に主回路電圧が異常に低下した際に回路しゃ断器をトリップ動作させるものであり、電磁石式の引外し機構，および電磁石の回路に接続してしゃ断器側のハンドル機構に連繋させた早入り補助接点機構を内蔵し、回路しゃ断器の投入操作時に、その主回路接点の閉成に先立って不足電圧引外し装置の早入り補助接点を先に投入してリセットさせるようにした構成のものが知られている。
【０００３】
ここで、付属装置としての早入り接点付き不足電圧引外し装置を説明する前に、まず配線用しゃ断器を対象とした回路しゃ断器の構成を図４(a),(b) に示す。図において、１は回路しゃ断器、１ａはしゃ断器本体のケース、２は主回路接点および消弧室を備えた電流しゃ断部、３は電流しゃ断部２の開閉機構部、４は過電流引外し装置、５はケース１ａのカバー上面に配したロータリー式の操作ハンドルであり、該操作ハンドル５には接点開閉機構部３との間を連繋する歯車機構６、および後記する不足電圧引外し装置（付属装置）の早入り補助スイッチに対応する駆動レバーの制御用リセットカムが連結されている。
【０００４】
上記回路しゃ断器１の開閉動作は周知の通りであり、操作ハンドル５をＯＦＦからＯＮ位置に回すと、接点開閉機構部３のトグルリンク機構３ａ、および開閉ばね３ｂ，開閉レバー３ｃがＯＮ方向に動作して電流しゃ断部２の主回路接点を閉極する。逆に操作ハンドル５をＯＮからＯＦＦ位置に回すと、トグルリンク機構３ａ，開閉レバー３ｃが反転動作して電流しゃ断部２の主回路接点を開極する。また、主回路に過電流が流れて過電流引外し装置４が接点開閉機構部３のラッチ機構３ｄを釈放すると、開閉機構部３がトリップ動作して主回路接点を開極させ、電流をしゃ断する。なお、回路しゃ断器１のトリップ動作時には操作ハンドル５がＯＮ位置とＯＦＦ位置との中間のＴＲＩＰ位置に停止して回路しゃ断器がトリップ動作したことを表示するようにしている。
【０００５】
また、回路しゃ断器１がトリップ動作した後に、主回路の正常回復を待ってしゃ断器を投入させる場合には、操作ハンドル５をＴＲＩＰ位置から一旦ＯＦＦ位置に戻して接点開閉機構部３のラッチ機構３ｄをリセットさせた上で、ここからＯＮ位置に回すことにより主回路接点が閉極して投入状態となる。なお、前記接点開閉機構部の構造，動作については本発明と同一出願人より先に提案した特願平１１−１９２７１２に詳しく述べられている。
【０００６】
次に、前記回路しゃ断器の本体に装着して使用する付属装置としての早入り補助スイッチ付き不足電圧引外し装置、およびこれに対応する開閉しゃ断器の操作ハンドル機構の従来における構造，動作を図５〜図８で説明する。すなわち、不足電圧引外し装置１０は独立したユニットとして回路しゃ断器１のケース１ａの側面に装着され、そのユニットケース１１の両端に配した外部接続端子（ねじ端子）１２，引外し操作用の電磁石１３，電磁石１３の通電回路を開閉する早入り補助スイッチ１４，電磁石１３のアーマチュア１３ａに一端を結合して他端をしゃ断器本体側のラッチ機構に連係させた引外しレバー１５などを装備した構成になる。そして、回路しゃ断器１の側面に装着して付属させた使用状態で、回路しゃ断器１のハンドル機構に連係させ、図７のように回路しゃ断器１の主回路に配線して使用される。
【０００７】
かかる構成で、主回路電圧が正常であれば電磁石１３の吸引動作により引外しレバー１５は復帰ばね１５ｂのばね力に抗して上方に押し上げられ、引外しレバー１５の先端に連結してしゃ断器本体内に突き出したピン１５ａがラッチ機構３ｄ（図４(b) 参照）の引外し板から離脱してそのラッチ爪とラッチ受けを係合状態に保つ。また、主回路電圧が異常低下すると、復帰ばね１５ｂのばね力が電磁石１３の吸引力に打ち勝って引外しレバー１５を下方に押し下げる。これにより、前記ピン１５ａがしゃ断器本体のラッチ機構３ｄの引外し板を押し下げてラッチ爪とラッチ受けとの係合を釈放する。これにより、回路しゃ断器１がトリップ動作して主回路接点を開極する。
【０００８】
また、不足電圧引外し装置１０に内蔵した早入り補助スイッチ１４は、一対の固定接点１４ａおよび固定接点１４ａの間を橋絡するブリッジ形の可動接点１４ｂからなる上下２組の早入り接点と、可動接点１４ｂをその接圧ばね１４ｂ-1とともに支持した揺動式の接点ホルダ１４ｃからなる。なお、接点ホルダ１４ｃはその下端を支軸１４ｄに軸支してた上で、支軸１４ｄに設けた復帰ばね（捩じりコイルばね）１４ｅにより反時計方向に付勢しており、さらに接点ホルダ１４ｃの上端に連結してユニットケース１１の側方に引出したピン形の動作レバー１４ｃ-1をしゃ断器本体のケース側壁に開口したスリット穴を通じて差し込み、次記のようにしゃ断器本体の操作ハンドル５と連動する駆動レバー１６と連係させている。
【０００９】
すなわち、図６で示すように駆動レバー１６は、操作ハンドル５に連結したリセットカム１７の周面に対向してその側方に配置した上で、そのレバー１６の先端を不足電圧引外し装置１０からしゃ断器ケース内に突き出した前記動作レバー１４ｃ-1に対峙させており、操作ハンドル５のＯＮ操作時にリセットカム１７，駆動レバー１６を介して早入り補助スイッチ１４の接点ホルダ１４ｃを接点投入方向に駆動するようにしている。
【００１０】
また、前記駆動レバー１６は図８(a),(b) で示すように、支軸１６ａを支点に揺動自在に軸支されたＶ字形レバーになり、その先端アーム部１６ｂをしゃ断器ケース１ａの側壁に開口したスリットを通して引き入れた早入り補助スイッチの動作レバー１４ｃ-1の側面に対峙させ、他方の突起部１６ｃをリセットカム１７のカム面に対峙させている。一方、操作ハンドル５に連結したリセットカム１７は、そのカム面一部に凹部１７ａを形成した形状になる。なお、駆動レバー１６，リセットカム１７は樹脂成形品で作られている。
【００１１】
上記構成で、回路しゃ断器１を投入する際に操作ハンドル５をＯＦＦ位置からＯＮ位置に向けて時計方向に回すと、その操作途上でハンドル５に連動して回転するリセットカム１７が駆動レバー１６を押して反時計方向に揺動させる。これにより、駆動レバー１６の先端アーム部１６ｂが動作レバー１４ｃ-1を押して早入り補助スイッチ１４の接点ホルダ１４ｃをＯＦＦ位置からＯＮ位置に駆動する。この動作により早入り接点が閉じて電磁石１３が通電となるとともに、電磁石１３が励磁されるとアーマチュア１３ａが吸引動作して引外しレバー１５を上方に引き上げる。これにより、回路しゃ断器のラッチ機構３ｄ（図４(b) 参照）のラッチ爪とラッチ受けとが掛かり合う待機状態になる。続いて、操作ハンドル５が図８(b) のＯＮ位置に移動すると、接点開閉機構部３を介して電流しゃ断部２の主回路接点が閉極するとともに、ラッチ機構３ｄのラッチ爪とラッチ受けが係合状態になる。
【００１２】
また、回路しゃ断器のＯＦＦ操作，トリップ動作後のリセット操作時に、操作ハンドル５をＯＦＦ位置に回すと、駆動レバー１６は図８(a) の位置に復帰するとともに、不足電圧引外し装置１０の接点ホルダ１４ｃは図５に示した復帰ばね１４ｅのばね付勢によりＯＦＦ位置に揺動して補助接点を開極し、電磁石１３の通電回路を断路する。
【００１３】
【発明が解決しようとする課題】
ところで、前記した回路しゃ断器，および早入り補助スイッチ付き不足電圧引外し装置の従来構造では、動作の信頼性面で次記のような問題点がある。すなわち、
(1) 操作ハンドル５をＯＮ位置に回した回路しゃ断器の投入状態では、図８(b) で示すように、駆動レバー１６の先端アーム部１６ｂには不足電圧引外し装置側の動作レバー１４ｃ-1を介して補助スイッチ機構の接点ホルダ１４ｃに備えた復帰ばね１４ｅおよび補助接点の接圧ばね１４ｂ-1（図５(b) 参照）のばね力が反力荷重として図示矢印方向に加わる。
【００１４】
一方、駆動レバー１６は先述のように樹脂成形品であり、回路しゃ断器の通電状態では、主回路電流の通電による温度上昇も加わってしゃ断器本体の内部に組み込んだ駆動レバー１６の温度もかなり高温となる。そのために、回路しゃ断器を長時間連続して通電すると、駆動レバー１６の先端アーム部１６ｂには前記ばね力により高温クリープが発生して反り変形し、これが原因で操作ハンドル５をＯＮ位置に回した際に、駆動レバー１６の先端アーム部１６ｂを介してＯＮ方向に押される接点ホルダ１４ｃに所定の揺動ストロークが確保できなくなる。その結果、補助接点間の接圧が低下して固定接点１４ａと可動接点１４ｂとの接触状態が不安定になるおそれがある。
【００１５】
(2) また、前記した補助接点の接触不安定に起因する異常発熱などが原因で、固定接点１４ａと可動接点１４ｂの接点が溶着した場合には、操作ハンドル５をＯＦＦ位置に戻しても早入り補助スイッチ機構１４の復帰ばね１４ｅのばね力が弱いために、固定／可動接点間を開離させて接点ホルダ１４ｃをＯＦＦ位置に復帰させることができなくなることがある。
【００１６】
本発明は上記の点に鑑みなされたものであり、前記各課題の解決を図るように不足電圧引外し装置に装備した早入り補助スイッチ機構、および回路しゃ断器に装備した不足電圧引外し装置操作用の駆動レバーを改良した開閉装置を提供することにある。
【００１７】
【課題を解決するための手段】
上記目的を達成するために、本発明によれば、開閉操作ハンドルとしてロータリー式の操作ハンドルを備えた回路しゃ断器と、該回路しゃ断器の外部付属装置としてしゃ断器本体に早入り補助スイッチ付き不足電圧引外し装置を組合せた開閉装置に関して、
(1) 前記不足電圧引外し装置が電磁石式引外し機構，およびその電磁石の通電回路に接点を介挿した早入り補助スイッチを内蔵した構成になり、該補助スイッチの接点ホルダを回路しゃ断器の操作ハンドルに連係させた上で、回路しゃ断器のＯＮ操作時に操作ハンドルに連動して主回路接点が閉じる前に前記早入り補助スイッチを投入するようにしたものにおいて、
前記早入り補助スイッチの接点ホルダを、その下端を揺動支点としてホルダ上端に結合してケース側方に突き出した動作レバーをしゃ断器本体の操作ハンドルに連係させるとともに、前記早入り補助スイッチの復帰ばねとして接点ホルダの上端とケースとの間に反転ばねを介装し、該反転ばねを介して操作ハンドルのＯＦＦ位置では接点ホルダをＯＦＦ側に付勢し、操作ハンドルに連動して接点ホルダをＯＮ位置に駆動した際に反転ばねが反転動作して接点ホルダをＯＮ側にばね付勢するように構成する（請求項１）。
【００１８】
上記構成によれば、回路しゃ断器の操作ハンドルをＯＮ位置に回し、これに連動して駆動レバーが不足電圧引外し装置の早入り補助スイッチをＯＮ位置に向けて駆動すると、その操作途上で前記反転ばねが反転動作して接点ホルダをＯＮ側に付勢するようになる。これにより、早入り補助スイッチでは固定／可動接点間で安定した接点の接触状態を確保できる。しかも、回路しゃ断器の投入状態では、駆動レバーの先端アーム部には早入り補助スイッチの復帰ばね力が反力として加わることがなく、これにより回路しゃ断器の通電に伴って駆動レバーが長時間連続して高温状態に晒されても、高温クリープ現象による不要な反り変形の生じるおそれもなくなって動作面での信頼性が向上する。
【００１９】
(2) また、本発明によれば、しゃ断器本体の操作ハンドルに結合したリセットカム, および該リセットカムを介して操作レバーに連動する駆動レバーを装備し、不足電圧引外し装置をしゃ断器本体に付属させた状態で、不足電圧引外し装置に内蔵した早入り補助スイッチの接点ホルダに結合した動作レバーを前記駆動レバーに連係させ、回路しゃ断器のＯＮ操作時に操作ハンドルに連動して主回路接点が閉じる前に前記早入り補助スイッチを投入するようにした開しゃ断器において、
しゃ断器本体に装備した前記駆動レバーの先端と不足電圧引外し装置から引出した前記動作レバーとの間を、そのいずれか一方の先端に形成した二股状継手部を介してＯＮおよびＯＦＦ方向に連動連結する（請求項２）。
【００２０】
この構成により、回路しゃ断器の使用状態で不足電圧引外し装置に装備した早入り補助スイッチの固定／可動接点間に万一溶着が生じた場合でも、ハンドル操作で回路しゃ断器のＯＦＦ操作する際に、操作ハンドルに連動する駆動レバー，二股状継手を介して不足電圧引外し装置の早入り補助スイッチ接点ホルダをＯＦＦ方向に強制移動して溶着状態にある補助スイッチの固定／可動接点を引き離すことができる。
【００２１】
【発明の実施の形態】
以下、本発明の実施の形態を図１(a) ，(b) に示す実施例に基づいて説明する。なお、実施例の図中で図８に対応する部材には同じ符号を付してその詳細な説明は省略する。
〔実施例１〕
図１，図２は本発明の請求項１に対応する実施例を示すものである。図示実施例の早入り補助スイッチ付き不足電圧引外し装置１０は基本的に図５に示した従来構造と同様であるが、図５における復帰ばね（捩じりコイルばね）１４ｅに変えて接点ホルダ１４ｃの頂部とユニットケース１１の天井との間には復帰ばねとして反転ばね１８が介装されている。
【００２２】
この反転ばね１８は圧縮コイルばねであり、図１(a) に示すＯＦＦ状態では接点ホルダ１４ｃの軸支点（下端側の支軸１４ｄ）に対して、図示矢印で表す反転ばね１８のばね力が接点ホルダ１４ｃをＯＦＦ方向に付勢し、図２に示すＯＮ状態では、前記と逆に反転ばね１８のばね力が接点ホルダ１４ｃをＯＮ方向に付勢するように設定している。そして、接点ホルダ１４ｃの頂部に結合して側方に引出した動作レバー１４ｃ-1の先端を、回路しゃ断器の操作ハンドルに連係してしゃ断器本体の内部に組付けた駆動レバー１６（図６参照）の先端アーム部１６ｂに対峙させるようにしている。
【００２３】
上記の構成で、回路しゃ断器の操作ハンドルをＯＦＦ位置に回した状態では、図１で表すように不足電圧引外し装置１０に内蔵した早入り補助スイッチ１４の接点ホルダ１４ｃが反転ばね（復帰ばね）１８のばね付勢を受け、下端側の支軸１４を支点にＯＦＦ方向（反時計方向）に傾動して補助接点が開離している。この状態から回路しゃ断器の操作ハンドルをＯＮ位置に向けて回すと、図８で述べたように操作ハンドル５に連動して駆動レバー１６が時計方向に揺動し、動作レバー１４ｃ-1を介して接点ホルダ１４ｃをＯＮ方向（時計方向）に向けて押す。これにより、前記の反転ばね１８が反転動作してそのばね力が接点ホルダ１４ｃをＯＮ方向に押圧付勢し、図２の位置で固定接点１４ａと可動接点１４ｂとが圧接するように接点ホルダ１４ｃをＯＮ位置に押圧保持する。これにより、固定／可動接点間の安定した接触状態を維持できる。
【００２４】
また、図２のＯＮ状態では、回路しゃ断器側に配した駆動レバーの先端アーム部１６ｂには不足電圧引外し装置側から反転ばね１８のばね力が反力として加わることがない。これにより、回路しゃ断器を長時間連続通電しても、駆動レバー（樹脂製）に高温クリープが発生してレバー自身が反り変形するといった不具合を防止できる。
【００２５】
〔実施例２〕
次に、本発明の請求項２に対応する実施例を図３(a),(b) で説明する。すなわち、この実施例においては、操作ハンドル５に連動する駆動レバー１６の先端側に、先端アーム部１６ｂと共同して不足電圧引外し装置側から側方に突き出した早入り補助スイッチ接点ホルダ１４ｃの動作レバー１４ｃ-1を駆動するプッシャ１６ｄが形成されており、このプッシャ１６ｄと先端アーム部１６ｂとで構成した二股状継手で不足電圧引外し装置装置側からしゃ断器本体の内部に突き出した動作レバー１４ｃ-1の先端を両側から挟み込むようにしている。
【００２６】
上記の構成で、回路しゃ断器の操作ハンドル５を図３(a) のＯＦＦ位置から図３(b) のＯＮ位置に向けて時計方向に回すと、その初期段階で操作ハンドル５に連結したリセットカム１７を介して駆動レバー１６が支軸１６ａを支点にして反時計方向に回動し、その先端アーム部１６ｂが動作レバー１４ｃ-1を図面の紙面上で上向きに押す。これにより、不足電圧引外し装置では図３(b) で表すように早入り補助スイッチの補助接点が閉極し、引き続き操作ハンドル５をＯＮ位置の終端まで回すと回路しゃ断器の主回路接点が投入されて投入操作が完了する。
【００２７】
一方、回路しゃ断器のＯＦＦ操作時に操作ハンドル５をＯＮ位置からＯＦＦ位置に向けて反時計方向に回すと、前記とは逆に駆動レバー１６のプッシャ１６ｄが動作レバー１４ｃ-1を押し、早入り補助スイッチの接点ホルダ１４ｃをＯＦＦ方向に強制移動させてその可動接点１４ｂを固定接点１４ａから開離する。なお、図８に示した従来構造では、ＯＦＦ操作時には駆動レバー１６の先端アーム部１６ｂが動作レバー１４ｃ-1から離脱して後退するだけであり、接点ホルダ１４ｃは復帰ばね１４ｅ（図５(b) 参照）のばね力でＯＦＦ位置に戻すようにしている。
【００２８】
これにより、不足電圧引外し装置の通電使用状態で早入り補助スイッチ１４の固定接点１４ａと可動接点１４ｂとの間に接点溶着が万一発生した場合でも、回路しゃ断器のトリップ動作後のリセット操作もしくはＯＦＦ操作でハンドル５をＯＦＦ位置に向けて回すと、前記した駆動レバー１６のプッシャ１６ｄを介して早入り補助スイッチ１４の接点ホルダ１４ｃがＯＦＦ方向に強制移動され、溶着状態にある補助接点が開極する。
【００２９】
なお、図示実施例では、駆動レバー１６の先端側に二股状継手を設けているが、応用実施例として前記とは反対に不足電圧引外し装置側から突き出した動作レバー１４ｃ-1の先端部を二股状に形成して継手を構成し、この二股状継手で回路しゃ断器側の駆動レバー１６の先端アーム部を両側から挟持させるようにすることもできる。
【００３０】
【発明の効果】
以上述べたように、本発明の構成によれば、次記の効果を奏する。
(1) 回路しゃ断器に付属する早入り補助スイッチ付き不足電圧引外し装置において、その早入り補助スイッチの接点ホルダを、その下端を揺動支点としてホルダ上端に結合してケース側方に突き出した動作レバーをしゃ断器本体の操作ハンドルに連係させるとともに、前記早入り補助スイッチの復帰ばねとして接点ホルダの上端とケースとの間に反転ばねを介装し、該反転ばねを介して操作ハンドルのＯＦＦ位置では接点ホルダをＯＦＦ側に付勢し、操作ハンドルに連動して接点ホルダをＯＮ位置に駆動した際に反転ばねが反転動作して接点ホルダをＯＮ側にばね付勢するようにした請求項１の構成により、
早入り補助スイッチの固定／可動接点間で安定した接点の接触状態を確保できる。しかも、回路しゃ断器の投入状態では、駆動レバーの先端アーム部には早入り補助スイッチの復帰ばね力が反力として加わることがないので、回路しゃ断器の通電使用により駆動レバーが長時間連続して高温状態に晒されても、高温クリープ現象による不要な反り変形の生じるおそれもなくなって動作面での信頼性が向上する。
【００３１】
(2) 不足電圧引外し装置を付属して使用する回路しゃ断器において、そのロータリー式操作ハンドルに連動してＯＮ操作時に不足電圧引外し装置の早入り補助スイッチを投入させる駆動する駆動レバーの先端と不足電圧引外し装置の早入り補助スイッチ接点ホルダから引出した動作レバーとの間を、二股状継手部を介してＯＮ，ＯＦＦの双方向に連動連結した請求項２の構成により、
回路しゃ断器の使用状態で不足電圧引外し装置に装備した早入り補助スイッチの固定／可動接点に万一溶着が生じた場合でも、ハンドル操作で回路しゃ断器をＯＦＦ操作する際に、操作ハンドルに連動する駆動レバー，二股状継手を介して不足電圧引外し装置の早入り補助スイッチの接点ホルダをＯＦＦ方向に強制移動して溶着状態にある補助スイッチの固定／可動接点を引き離すことができる。
【図面の簡単な説明】
【図１】本発明の実施例１に係る早入り補助スイッチ付き不足電圧引外し装置の内部構造図であり、(a）は回路しゃ断器ＯＦＦに対応した不足電圧引外し装置の動作状態を表す正面図、(b) は(a) の縦断側面図
【図２】回路しゃ断器ＯＮに対応した図１の早入り補助スイッチ付き不足電圧引外し装置の動作状態を表す正面図
【図３】本発明の実施例２に係る回路しゃ断器のハンドル機構の構造，動作の説明図であり、(a),(b) はそれぞれ操作ハンドルのＯＦＦ，ＯＮに対応した状態を表す平面図
【図４】オートブレーカを対象とした回路しゃ断器の構成図であり、(a) はしゃ断器全体の略示図、(b) は(a) における接点開閉機構の詳細構造図
【図５】回路しゃ断器に早入り補助スイッチ付き不足電圧引外し装置を付属した開閉装置の従来構成図であり、(a),(b) はそれぞれ平面図および不足電圧引外し装置の内部構造を表す正面図
【図６】図５における要部構成の斜視図
【図７】回路しゃ断器に付属させた早入り接点付き不足電圧引外し装置の配線図
【図８】従来の回路しゃ断器におけるハンドル機構の構造および動作の説明図であり、(a),(b) はそれぞれ操作ハンドルのＯＦＦ，ＯＮ状態に対応した平面図
【符号の説明】
１    回路しゃ断器
５    ロータリー式操作ハンドル
１０    早入り補助スイッチ付き不足電圧引外し装置
１３    電磁石
１４    早入り補助スイッチ
１４ａ  固定接点
１４ｂ  可動接点
１４ｃ  接点ホルダ
１４ｃ-1  動作レバー
１４ｄ  支軸
１５    引外しレバー
１６    駆動レバー
１６ｂ  先端アーム部
１６ｄ  プッシャ
１７    リセットカム
１８    反転ばね（復帰ばね）
【図１】
0003867541.tif 000002
【図２】
0003867541.tif 000003
【図３】
0003867541.tif 000004
【図４】
0003867541.tif 000005
【図５】
0003867541.tif 000006
【図６】
0003867541.tif 000007
【図７】
0003867541.tif 000008
【図８】
0003867541.tif 000009